(57)【要約】      （修正有）【課題】上面固定金具や馬蹄座金を用いて流し台天板に固定している既設のシングルレバー水栓の経年劣化による、水栓本体とカバーが分離できなくなる等の不具合がなく、取り付け作業が容易な分水金具を提供する。【解決手段】上面施工金具を用いるシングルレバー水栓１を天板２に固定するフランジ１０の内側にある隙間Ａに、水栓１への給水用止水栓１６または給湯用止水栓１７から分岐接続した分水パイプ１５を通して、フランジ１０と天板２の間に分水金具１３を接続する。【選択図】図１
2018059284.tif 000002
【特許請求の範囲】
【請求項１】
上面施工金具を用いて流し台天板に固定するシングルレバー水栓において、上面施工金具と流し台天板の間に挿入して上面施工金具により固定されるとともに、上面施工金具の隙間を通した分水パイプを経由して給水用止水栓より分岐給水される、外部への給水口を持つ分水金具。
【発明の詳細な説明】
【技術分野】
【０００１】
本発明は上面施工金具などの固定金具によって、流し台天板に固定している既設のシングルレバー水栓において、固定金具と流し台天板の間に付加して、水または湯を取出すための分岐装置に関する。
【背景技術】
【０００２】
既設のシングルレバー水栓本体の上下途中部分に分岐装置を付加して、水または湯の取出しを可能とする構成が数多く提案され、商品化されている。
それらの代表的な分岐装置の正面図を図８に示し、その構成を以下に記す。
分岐装置51は水栓1本体の上端部に設けられた管状雄ねじ部1aにねじ合わされている下部雌ねじ部52aを有する円筒体52と、円筒体52内に嵌め入れられた円柱状通路ブロック53と、円筒体52外周に嵌め被せられた分岐配管接続用環状体54とよりなる。円筒体52の上端部に、カバー50の下端部に設けられた雌ねじ部50aにねじ合わされている上部雄ねじ部52bが設けられている。通路ブロック53は、水栓1本体の水導入通路47、湯導入通路48および湯水混合液排出通路49とこれに対応するカートリッジ44の各孔とを連通する水連通路55と湯連通路56と湯水混合液連通路（図示されず）を持ち、一端が水連通路55または湯連通路56に通じ他端が外向きに開口した分岐路57が設けられている。環状体54に、分岐配管接続用雄ねじ部58aを有しかつ円筒体52に設けられた貫通孔を介して分岐路57に通じている管状突出部58が設けられているものである。
【０００３】
この分岐装置51を付加するには、レバー46を外して水栓1本体の管状雄ねじ部1aにねじ合わされているカバー50の雌ねじ部50aをねじ戻すことにより、カバー50とカートリッジ44を取り外した後、円筒体52の下部雌ねじ部52aを水栓1本体の管状雄ねじ部1aにねじ合わせることにより、分岐装置51を水栓1本体に取付ける作業と、円筒体52の上部雄ねじ部52bにカバー50の雌ねじ部50aをねじ合わせることにより、カートリッジ44を含めてカバー50を固定した上で、レバー46を取付ける作業が必要である。
【先行技術文献】
【特許文献】
【０００４】
【特許文献１】実公平４−４４９４４
【特許文献２】実登３０５７５３９
【特許文献３】特開平８−１４４２１
【発明の概要】
【発明が解決しようとする課題】
【０００５】
分岐口を有しない既設のシングルレバー水栓の天板上部より湯・水を分岐する場合、上記作業をして分岐装置51を挿入すればよい。一方シングルレバー水栓はメーカーおよび機種ごとに、シングルレバー水栓の外径やカートリッジの形状（湯・水導入口および湯水混合排出口の径・位置や外径）が異なるため、対応する分岐装置51は多種類必要になる。またその主な構成部品は下部雌ねじ部52aを有する円筒体52や円柱状通路ブロック53や分岐配管接続用環状体54などからなり、ネジきり・穴あけ・切削など多くの加工を必要とする。さらにシングルレバー水栓を長期使用すると、接水部品の経年劣化や腐食に起因する水和物の固着や錆などによってカバー50の雌ねじ部50aと管状雄ねじ部1aのネジ合わせ箇所を外すことが困難になり、分岐装置51の付加ができない場合がある。
【課題を解決するための手段】
【０００６】
シングルレバー水栓の流し台天板への固定方法は図２，３，４に示す六角ナット式，馬蹄座金式，上面施工金具式と施工のしやすさを求めて発展してきた。
【０００７】
図２に六角ナット式固定法の展開図を示す。水栓1本体下部の外ネジ部分を天板2の取付穴3に挿入した後、天板2下からスプリングワッシャ4を介して六角ナット5で締め付け固定している。
【０００８】
図３に馬蹄座金式固定法の展開図を示す。取付穴（図示せず）に水栓1本体底部に付属したボルト（図示せず）を通した後、馬蹄座金6とスプリングワッシャ4を介してナット7を締め付け、水栓1を固定する。この方式では水栓1本体下部の外ネジ部分と六角ナット5を用いず、外周部分を切り欠いた馬蹄座金6で固定しているため、天板2の取付穴（図示せず）に固定された馬蹄座金6の内側には給水管8と給湯管9が占める以外にかなりの隙間Aがある。
【０００９】
給水管8と給湯管9の材質は近年、銅管から配管接続作業に自由度のある樹脂被覆可とう管となり、給水・給湯用止水栓との接続作業のしやすさを図っている。
【００１０】
図４に上面施工金具式固定法の展開図と上面施工金具を天板上面より見た図を示す。天板2上面から取付穴（図示せず）の下に挿入したツメ12を、フランジ10に螺結したボルト11をねじ込むことにより、上方に呼び込んでフランジ10を天板2に固定する。固定したフランジ10に天板2上から挿入した水栓1本体をトメネジ（図示せず）で固定する。これらの作業により、天板2下で作業することなく水栓1本体を天板2に固定できる。上面施工金具式は他の２方式と異なり、天板2上部での作業によって水栓1本体が天板2に固定できるため、近年シングルレバー水栓1の固定方法の主流となってきた。この方式では天板2の取付穴(図示せず）に固定されたフランジ10の内部には給水管8と給湯管9が占める以外にもかなりの隙間Aがある。
【００１１】
水栓の給水管または給湯管から分岐接続した分水パイプを隙間Aに通して、シングルレバー水栓と天板の間に付加した分水金具に接続することにより、水または湯を天板の上に取出すことが可能となる。
【発明の効果】
【００１２】
フランジやツメを用いる上面施工金具や馬蹄座金を用いて流し台天板に固定している既設のシングルレバー水栓に本発明の分水金具を付加することにより、水または湯を取出す簡易な構成の分岐装置を安価に提供するとともに長期使用時接水部品の経年劣化や腐食に起因する水和物の固着や錆などにより、水栓本体とカバーが分離できなくなるなどの長期使用水栓の不具合に関係せず取付作業が容易になる。
【図面の簡単な説明】
【００１３】
【図１】図１は本発明の分水金具の実施方法を示した説明図である。（実施例１）
【図２】図２はシングルレバー水栓の六角ナット式固定法の説明図である。
【図３】図３はシングルレバー水栓の馬蹄座金式固定法の説明図である。
【図４】図４はシングルレバー水栓の上面施工金具式固定法の説明図である。
【図５】図５は本発明の分水金具の他の実施方法を示した説明図である。（実施例２）
【図６】図６は本発明の分水金具の利用方法を示した説明図である。（実施例３）
【図７】図７は本発明の分水金具と上面施工金具を一体化した実施方法を示した説明図である。（実施例４）
【図８】図８はシングルレバー水栓に付加して、水または湯を取出す分岐装置の代表例を示した説明図である。（従来例）
【発明を実施するための形態】
【００１４】
以下本発明の実施の形態について説明する。
【実施例１】
【００１５】
図１はフランジ10やツメ12などからなる上面施工金具を用いて流し台の天板2に固定するシングルレバー水栓1および本発明の分水金具13の正面図を一部切り欠いて示す。同図において、水栓1を天板2に固定するフランジ10と天板2の間に分水金具を挿入した後、ボルト11を締め付けることによりツメ12を上方に呼び込み、フランジ10と共に天板2に締め付けられる。分水金具13の入水口14に接続された分水パイプ15は上記の隙間Aを通し、天板2の下にある給水用止水栓16と給水管8の間に挿入して取付けた分水チーズ18に接続する。分水金具13の吐出口19は配管接続可能な雄ねじが切られ、給水用止水栓16からの給水を流し台天板2の外へ供給する。
【００１６】
給湯する場合は上記の分水パイプ15を、天板2下の給湯用止水栓17と給湯管9の間に挿入して取付けた分水チーズ18に接続して分水金具13に給湯をする。分水金具13の吐出口19は流し台天板2の外へ給湯可能としている。流し台天板2とフランジ10の間に挿入する分水金具13は二つ割にして左右の側面から挿入可能とすることにより、分水金具13を挿入する作業を容易にすることができる。
【００１７】
この時の作業手順は下記のようになる。
既設の水栓1の給水用止水栓16と給湯用止水栓17を閉じた後、水栓1をフランジ10に固定しているトメネジ20を緩めて、水栓1を天板2の上部方向に引き上げて保持する。これによりできた空間を用いて、ツメ12でフランジ10を天板2に固定していたボルト11を緩める。固定をゆるめたフランジ10を上方に移動させてできたスペースに二つ割にした分水金具13を左右の側方から挿入した後、フランジ10を下方に戻し、ボルト11を締めて仮固定する。天板2下から隙間Aを通した分水パイプ15を分水金具13の入水口14内のOリング21内径部に挿入する。
【００１８】
給水する場合は分水パイプ15の他端を、天板2の下にある給水用止水栓16と給水管8を接続している袋ナット23を外して挿入した分水チーズ18のOリング24内径部に挿入後、抜け止めクリップ25を嵌め込んで接続する。分水チーズ18は袋ナット23とパッキン22で給水管8に、袋ナット26とパッキン22で給水用止水栓16に接続し、分水金具13と水栓1に給水する。給湯する場合は分水パイプ15の他端を、天板2の下にある給湯用止水栓17と給湯管9を接続している袋ナット23を外して挿入した分水チーズ18のOリング24内径部に挿入後、抜け止めクリップ25で接続する。分水チーズ18は袋ナット23とパッキン22で給湯管9に、袋ナット26とパッキン22で給湯用止水栓17に接続し、分水金具13と水栓1に給湯する。
【００１９】
仮固定している分水金具13とフランジ10を、ボルト11の増し締めによりツメ12を呼び込み、天板2に固定する。引き上げていた水栓1をフランジ10に差込んだ後、トメネジ20を締め付けてフランジ10に固定する。分水パイプ15は隣り合う給水管8あるいは給湯管9にパイプ固定具27で緊結して移動するのを防止する。
【実施例２】
【００２０】
分水パイプ15を二分して、図５に示すように分水金具13の入水口14内Oリング21に挿入する分水パイプA 15aと、分水チーズ18に取付ける袋ナット28を持つ可とう性のある分水パイプB 15bに分けた上、それぞれをくい込み継手29で接続することにより隙間Aを通して分水金具13の入水口14内Oリング21に挿入する分水パイプA 15aの構造を単純にして、隙間A内での作業をし易くできる。
【００２１】
この時の分水パイプA 15a、分水パイプB 15bの取付手順は下記のようになる。
天板2下から隙間Aを通した分水パイプA 15aの吐出口側端を分水金具13の入水口14内のOリング21内径部に挿入する。分水パイプA 15aの他端はくい込み継手29に挿入した後、袋ナット30を締めて仮固定する。
【００２２】
給水する場合は給水用止水栓16と給水管8の接続をはずして、分水チーズ18を挿入した後、給水用止水栓16および給水管8に袋ナット26，23とパッキン22でそれぞれ接続する。給湯する場合は給湯用止水栓17と給湯管9の接続をはずして、分水チーズ18を挿入した後、給湯用止水栓17および給湯管9を袋ナット26，23とパッキン22でそれぞれ接続する。
【００２３】
分水チーズ18の他端に袋ナット28とパッキン22で接続した分水パイプB 15bの他端をくい込み継手29に袋ナット31とパッキン22で接続した後、仮固定していた分水パイプA 15aの袋ナット30を締めて、くい込み継手29に固定する。分水パイプA 15aは隣り合う給水管8あるいは給湯管9にパイプ固定具27で緊結して移動するのを防止する。
【実施例３】
【００２４】
図６に分水金具13の吐出口19から据置形浄水器（図示されていない）に給水して、浄化された浄水を吐水パイプ32より供給する分岐水栓33の実施例を示す。
分岐水栓33の側端部は分水金具13の吐出口19に袋ナット34とパッキン22により接続されている。ハンドル35の回転によりスピンドル36とともにゴム板37付の弁棒38を水平方向に移動させて、ゴム板37を弁座39に脱着させることにより、分水金具13よりの給水を流入および遮断させる。分岐水栓33には図示していない浄水器に原水を流出させる給水口40と浄水器から浄化されたた浄水が戻ってくる戻り口41が設けられ、ほぼコ字状に屈曲した吐水パイプ32が袋ナット42とパッキン22により接続されている。通水路は分水金具13の吐出口19から分岐水栓33内部、給水口40を経て浄水器に至り、浄水器から戻り口41を経て吐水パイプ32に至る。  
【実施例４】
【００２５】
図７は本発明の分水金具13に、既設の水栓1を天板2に固定する上面施工金具のフランジの機能を付加して一体化した実施例の正面図を一部切り欠いて示している。同図において、水栓1を取外して分水金具13を水栓1と天板2の間に挿入した後、引き上げ部材Bによりツメ12を上方に引き込み、ボルト11をねじ込むことによりツメ12を上方に呼び込み、分水金具13は天板2に固定される。分水金具13にロー付けされた分水パイプ15cに接続された可とう性の分水パイプ15dは天板2の下にある給水用止水栓16と給水管8の間に挿入して取付けた分水チーズ18に接続する。分水金具13の吐出口19は配管接続可能な雄ねじが切られ、給水用止水栓16からの給水を流し台天板2外へ供給する。
【００２６】
給湯する場合は上記の分水パイプ15dを天板2下の給湯用止水栓17と給湯管9の間に挿入して取付けた分水チーズ18に接続して分水金具13の吐出口19に給湯し、流し台天板2の外へ給湯可能としている。
【００２７】
この時の作業手順は下記のようになる。
既設の水栓1の給水用止水栓16と給湯用止水栓17を閉じた後、袋ナット23を緩めて給水管8と給湯管9を外す。トメネジ20を緩めて、既設の水栓1を天板2の上部に引き上げて外した後、ボルト11を緩めて既設の上面施工金具を外す。空になった取付穴3に一体化した分水金具13を挿入する。引き上げ部材Bによりツメ12を上方に引き込み、ツメ12のネジ穴にボルト11を挿入して増し締めすることにより、ツメ12を上方に呼び込んで一体化した分水金具13を天板2に締め付ける。一体化した分水金具13にロー付けされた分水パイプ15cに接続された可とう性の分水パイプ15dを、給水用止水栓16と給水管8の間に挿入して袋ナット26・23とパッキン22で取付けた分水チーズ18に、Oリング24、抜け止めクリップ25で接続する。外していた水栓1を一体化した分水金具13に差込んだ後、トメネジ20aを水栓1のメネジ1aに締め付けて一体化した分水金具13に固定する。水栓1にメネジ1aがない場合は一体化した分水金具13のメネジ13aに合わせた、別に用意したトメネジ（図示せず）で固定する。分水パイプ15cは分水金具13にロー付けされているため、ハンドシャワー水栓のようにハンドシャワーホースの分、隙間Aの余裕空間が少ない場合などに有効である。また、分水パイプ15cが分水金具13に固定されているため、パイプ固定金具27が不要となる。給湯用止水栓17を袋ナット23とパッキン22により給湯管9と接続した後、給水用止水栓16と給湯用止水栓17を開栓する。
【産業上の利用可能性】
【００２８】
本発明の分水金具を用いることにより、既設のシングルレバー水栓から食器洗い乾燥機や浄水器や洗濯機へ分岐できる。
【符号の説明】
【００２９】
1  水栓
2  天板
8  給水管  
10  フランジ
12  ツメ
13  分水金具
14  入水口
15  分水パイプ
16  給水用止水栓
18  分水チーズ
19  吐出口
A  隙間
【図１】
2018059284.tif 000003
【図２】
2018059284.tif 000004
【図３】
2018059284.tif 000005
【図４】
2018059284.tif 000006
【図５】
2018059284.tif 000007
【図６】
2018059284.tif 000008
【図７】
2018059284.tif 000009
【図８】
2018059284.tif 000010